(57)【特許請求の範囲】
【請求項１】
高圧放電ランプ（Ｌｐ）の点灯電流を提供するパルス化電源（Ｌ２，Ｃ２，Ｔ１，Ｄ１，１）と、
高圧放電ランプ（Ｌｐ）をパルス化電源に接続することができ、高圧放電ランプ（Ｌｐ）の点灯電圧の極性反転を制御する極性反転信号が与えられる極性反転信号入力端（１０）を有する極性反転回路（２）と、
切換え信号を提供する制御装置（４）と、
パルス化電源（Ｌ２，Ｃ２，Ｔ１，Ｄ１，１）から提供された電力を変化させることができる操作量が入力される、パルス化電源（Ｌ２，Ｃ２，Ｔ１，Ｄ１，１）用の操作入力端と、
パルス化電源（Ｌ２，Ｃ２，Ｔ１，Ｄ１，１）が出力する電流の大きさを表す制御量を提供するための測定装置（Ｒ１）と、
電流目標値の大きさを表す目標量を提供するための装置（５）と、
目標量ならびに制御量が与えられ目標量と制御量との差に関係して操作量を出力する調整装置（６，８）とを備えた高圧放電ランプの点灯装置において、
制御装置（４）が減少値を提供する手段を含み、高圧放電ランプ（Ｌｐ）の点灯電圧の極性反転の前に目標量もしくは操作量の減少が開始され、目標量もしくは操作量がその減少値だけ切換え信号に同期して減少されることを特徴とする高圧放電ランプの点灯のための点灯装置。
【請求項２】
減少が、極性反転の少なくとも１マイクロ秒前に開始することを特徴とする請求項１記載の点灯装置。
【請求項３】
減少が、極性反転の少なくとも１０マイクロ秒まで継続することを特徴とする請求項１記載の点灯装置。
【請求項４】
減少値の時間的経過がパルス化されており、パルスの立下がり時間がパルスの立上がり時間の少なくとも３倍の値を有することを特徴とする請求項１記載の点灯装置。
【請求項５】
減少値が、ランプの点灯パラメータに関係して選択される最大値を有することを特徴とする請求項１記載の点灯装置。
【請求項６】
減少がその最大値を休止時間（ｔRZ）の間一定に保持することを特徴とする請求項１記載の点灯装置。
【請求項７】
目標値もしくは操作値が減少されて到達する最小値が、各減少において同一であることを特徴とする請求項１記載の点灯装置。
【請求項８】
減少値の時間的経過がほぼ次の法則
減少値（ｔ）＝σ（ｔ）Ａｅ‐t/τ
（但し、σ（ｔ）は単位ステップ関数を表し、Ａは減少の最大値を示し、τは等価負荷インダクタンスと等価負荷抵抗との比を示す）
に従うことを特徴とする請求項１記載の点灯装置。
【請求項９】
パルス化電源（Ｌ２，Ｃ２，Ｔ１，Ｄ１，１）が降圧コンバータであることを特徴とする請求項１記載の点灯装置。
【請求項１０】
パルス化電源（Ｌ２，Ｃ２，Ｔ１，Ｄ１，１）が平均電流モード制御付き降圧コンバータであることを特徴とする請求項１記載の点灯装置。
【請求項１１】
調整装置（６，８）および制御装置がマイクロコントローラによって構成されることを特徴とする請求項１記載の点灯装置。
【請求項１２】
制御装置（４）が、減少を１回のステップで最大値に設定し、均一な半減時間サイクル（ｔRI）を使用して少なくとも３回のステップにおいて半減を行うことを特徴とする請求項１記載の点灯装置。
【請求項１３】
規則的な間隔で極性反転され、操作値によって、１つの点灯パラメータに対して目標値の事前設定を行うことによって調整される高圧放電ランプ（Ｌｐ）の点灯方法において、
高圧放電ランプ（Ｌｐ）の極性反転の前に目標値もしくは操作値を、減少の最大値に相当する減少値だけ減少させるステップと、
休止時間（ｔRZ）を待機するステップと、
高圧放電ランプ（Ｌｐ）の極性反転を行うステップと、
時間的に規則的（ｔRI）に連続するステップにおいて少なくとも３回の減少値半減を行うステップと、
最初に予め定められた目標値を設定するステップと、
を含むことを特徴とする高圧放電ランプの点灯方法。
【請求項１４】
極性反転が休止時間（ｔRZ）中に行われることを特徴とする請求項１３記載の方法。
【発明の詳細な説明】
【０００１】
【発明の属する技術分野】
本発明は、請求項１の前文に記載された高圧放電ランプの点灯装置に関する。本発明は、特に、規則的な間隔で極性反転される高圧放電ランプ用の点灯装置を制御するための装置および方法に関する。特にこの場合の狙いは極性反転過程によって生ぜしめられるオーバシュートの大きさである。
なお、文献には用語“超高圧放電ランプ”も存在するので、以下においてこの明細書における用語“高圧放電ランプ”は“超高圧放電ランプ”等をも含むことを明確に述べておく。
【０００２】
【従来の技術】
いわゆる矩形波点灯方式は、（以下においては単にランプということもある）高圧放電ランプ用の電子点灯装置に広く使用されている。この場合、ランプに直流電流が印加されるが、その直流電流は規則的な間隔で極性反転される。この極性反転は、電気泳動作用を回避し、ランプ内の各電極に均一に負荷を与えるために必要である。
【０００３】
直流電流は一般にパルス化電源から提供される。パルス化電源は、通常、降圧コンバータ（バック）、昇圧コンバータ（ブースト）、逆変換器（バック‐ブースト）、キュウク（Ｃｕｋ）またはセピック（Ｓｅｐｉｃ）コンバータといった周知のテクノロジを基礎とする。パルス化電源に供給される電圧は概してランプの電圧より高く、そのために降圧コンバータが好んで使用される。パルス化電源が負荷に供給できる電力は、一般にデューティ比またはパルス化電源内に含まれている電子スイッチのスイッチング周波数によって設定される。そのため、パルス化電源は操作量を供給される操作入力端を有する。パルス化電源が例えば降圧コンバータである場合、一般に、操作量を降圧コンバータ内に含まれている電子スイッチ用の駆動信号に変換するパルス幅変調器（ＰＷＭ）が使用される。
【０００４】
特許文献１（Ｈｕｂｅｒ（フーバー））は、このタイプの点灯装置に対する調整について述べている。
【０００５】
調整の目的はランプ電力を一定に保つことである。このためにランプ電圧に関係して電流目標値の形の目標量が形成される。この電流目標値は調整装置内において制御量と比較される。調整装置は主として制御増幅器および加算器を含んでいる。
【０００６】
制御量は測定装置から提供され、パルス化電源が発生する電流の大きさを表す。この電流は、一般に、パルス化電源内に含まれるインダクタのインダクタ電流に等しいと考えることができる。測定装置は好ましくは電流測定抵抗によって実現され、パルス化電源が発生した電流がその電流測定抵抗を通って流れる。調整装置は操作量を提供し、この操作量がパルス化電源の操作入力端に供給される。これによって、パルス化電源内に含まれているインダクタの高周波インダクタ電流（２０ｋＨｚ超）が調整される。これを行うために次の２つの方式すなわち、インダクタを通るピーク電流の事前設定方式（Ｐｅａｋ  Ｃｕｒｒｅｎｔ  Ｍｏｄｅ；ピーク電流モード）およびインダクタを通る平均電流の事前設定方式（Ａｖｅｒａｇｅ  Ｃｕｒｒｅｎｔ  Ｍｏｄｅ；平均電流モード）が一般に知られている。現在までのところ、必要とする回路の複雑性が低く本質的にインダクタ電流を制限することから、ピーク電流モードが好まれている。交流電流の重畳をできるだけ低くした直流電流の供給を可能にするために、パルス化電源にフィルタ回路が後置接続される。一般にこのフィルタ回路はフィルタインダクタおよびフィルタコンデンサを備えるＬＣローパスフィルタから構成されている。
【０００７】
極性反転のために、パルス化電源とランプとの間に極性反転回路が接続される。この極性反転回路は極性反転信号を供給される極性反転信号入力端を有する。これにより制御装置によって、当該極性反転信号を用いてランプ電圧の極性反転が生ぜしめられる。極性反転回路は一般に、駆動装置を備えた４つの半導体スイッチを含むフルブリッジによって構成されている。
【０００８】
ランプを始動するために、パルス化電源とランプとの間に始動トランスが接続されており、この始動トランスはランプの点灯前に始動電圧を提供される。達成可能な始動電圧を上昇させるために、ＬＣ共振回路から成る共振回路がパルス化電源と始動トランスとの間に接続されることも多い。
【０００９】
上述した点灯装置の構成には次のような問題が潜んでいる。すなわち、エネルギー蓄積装置（始動トランス、共振回路、フィルタ回路）がパルス化電源とランプとの間に接続され、全体としてリアクタンス回路を構成する。このリアクタンス回路は、ランプとともに、極性反転過程が起こると常に振動を生じる負荷回路を構成する。特に投影装置に使用される際にも一定の光束が必要である。そのため、極性反転過程は、一方においてはできるだけ迅速に行われなければならず、他方においては極性反転時のランプ電流のオーバシュート、従って光束のオーバシュートができるだけ低く保たれなければならない。従来技術に述べられている制御構造は投影装置に擾乱的に作用するオーバシュートを発生する。
【００１０】
【特許文献１】
欧州特許第１１４８７６８号明細書
【００１１】
【発明が解決しようとする課題】
本発明の課題は、オーバシュートが従来技術に比較して減少するようにランプ電流の極性反転を実行するような、請求項１の前文に記載された高圧放電ランプの点灯装置を提供すること、および請求項１３の前文に記載された高圧放電ランプの点灯方法を提供することである。
【００１２】
【課題を解決するための手段】
この課題は、それぞれ請求項１および１３の前文に記載された特徴を有する高圧放電ランプの点灯装置および点灯方法において、請求項１および１３の特徴部分の構成要件によって達成される。特に有利な実施態様はその従属請求項に記載されている。
【００１３】
目標量は通常システムのユーザによって事前設定され、ユーザがシステムに関するユーザの必要条件を変更しない限り変化しない。一定のランプ電圧を前提にすると、従来技術においてはランプ電流の目標量も同様に予め定められており、一定である。規定された前提条件は、点灯中のランプ電圧が極性反転の間の時間間隔に比較して非常に緩やかにのみ変化することから、一般に正しいことがわかる。
【００１４】
本発明によれば、目標量は、極性反転に同期して、従って切換え信号に同期して、時間的経過を持って減少値だけ減少される。この減少の意図は、前述したリアクタンス回路のエネルギー蓄積装置内に振動を誘発し、この振動が極性反転によって発生したオーバシュートを打ち消すことにある。理想的な場合、オーバシュートは本発明に従って正確に補償される。操作量が目標量に追従し、例えば主として積分動作する制御増幅器を用いることによって、例えば１マイクロ秒より長い時間期間にわたり非常に緩慢にのみ持続する場合、目標量が減少されるのではなく、操作量が直接減少されると有利である。従って、以下の記述は同一の意味において操作量の減少にも適用される。
【００１５】
減少の開始とリアクタンス回路内の応答との間には少なくとも１マイクロ秒の経過があることから、制御装置が極性反転信号を発する前に減少を開始すると有利である。実用的な実験では、極性反転信号の出力より少なくとも１マイクロ秒前に減少を開始すると有利なことがわかった。
【００１６】
減少の時間的経過の最適持続期間、形状および振幅は、負荷電流の特性、特にそのステップ関数応答に関係する。ステップ関数応答は、システム理論から知られているように、入力量のステップ的な変化に対する回路の応答である。一般にこのために、時間ｔ＝０の前は値０を取り、時間ｔ＝０で値１にジャンプし、それを維持するステップ関数σ（ｔ）が定義される。ここで論じている点灯装置の場合、極性反転は、ステップ関数応答で応答する負荷回路の入力電圧のステップ関数変化を表わす。そのステップ関数応答の結果としてもたらされるオーバシュートは本発明に従い目標量の減少によって補償される。
【００１７】
実験によって、本発明に従った作用を達成するために、減少が、極性反転後の少なくとも１０マイクロ秒後まで継続しなければならないことがわかった。
【００１８】
また本発明に従った作用のためには、減少を迅速に開始させかつ緩慢に減衰させる必要があることも明らかになった。減少がパルス状の時間的経過を有している場合これは、パルスの立下がり時間がパルスの立上がり時間の少なくとも３倍の値を有していなければならないことを意味している。ここでは、数学的符号の確認のために次の関係を指定する。すなわち、減少に関する正の値は目標値の減少を生じる。
【００１９】
さらに、本発明の課題に関して、減少が、その最大値を休止時間の間一定に保持すると有利であることも明らかになった。
【００２０】
リアクタンス回路のエネルギー蓄積装置内に蓄積されるエネルギー量は、負荷回路のステップ関数応答に影響を与える。従って、本発明によれば、減少の振幅はリアクタンス回路のエネルギー蓄積装置内に蓄積されたエネルギー量に整合される。これは本発明に従って減少の最大値をランプの点灯パラメータに関係して選択することによって達成される。例えば、ランプを通る電流（ランプ電流）は、リアクタンス回路内に誘導的に蓄積されたエネルギーの大きさを表す。ランプ電力が定められている場合、ランプ電流の代わりにランプ電圧を検出することもできる。
【００２１】
本発明に従ったオーバシュートの補償、特にランプ電流におけるオーバシュートの補償は、減少中に達成された目標量の最小値が常に同じであるときに最適になることが明らかになった。目標量は減少を行うことなく異なる値をとることができるので、減少の振幅は、減少されない目標値と目標量の一定の最小値との差によって左右される。
【００２２】
前述したように、減少の値（減少値（ｔ））の最適な時間的経過は、負荷回路のステップ関数応答に関係する。もっとも単純なケースにおいては、負荷回路を、等価インダクタンスおよび等価抵抗を含む直列回路によって構成することができる。等価インダクタンスは、リアクタンス回路内に含まれるインダクタンスの合計によって近似的に表される。等価抵抗は、それぞれのランプの動作点におけるランプ電圧とランプ電流との比に相当する。これによって、簡略化したモデルにおいて、減少値は理想的には次の法則に従う。
減少値（ｔ）＝σ（ｔ）Ａｅ‐t/τ
但し、σ（ｔ）は単位ステップ関数を表し、Ａは減少の最大値を示し、時定数τは等価負荷インダクタンスと等価負荷抵抗との比を示す。実用上は、減少値が、正確に上記の法則に従うわけではない。時間ｔ＝０において、減少値が限りなく迅速に開始値に立上がることが必要である。また減少値が、無限に長い時間にわたって作用することが必要である。これらはのいずれも実行可能でない。従って減少値はほぼ上記の法則に従うこと、すなわち有限の立上がり時間を有しかつ有限時間後に値０へ減少すれば十分である。
【００２３】
前述したように、一般的に知られている降圧コンバータがパルス化電源用として用いられると好ましい。ここで論じているオーバシュートは、降圧コンバータがいわゆる平均電流モードで作動されている場合には特に小さくなることが明らかになっている。これについては例えば文献“Ｌ．Ｈ．Ｄｉｘｏｎ（Ｌ．Ｈ．ディクソン）著「Ａｖｅｒａｇｅ  Ｃｕｒｒｅｎｔ  Ｍｏｄｅ  Ｃｏｎｔｒｏｌ  ｏｆ  Ｓｗｉｔｃｈｉｎｇ  Ｐｏｗｅｒ  Ｓｕｐｐｌｉｅｓ（スイッチング電源の平均電流モード制御）」１９９０年Ｕｎｉｔｒｏｄｅ  Ｐｏｓｅｒ  Ｓｕｐｐｌｙ  Ｓｅｍｉｎａｒ  ｍａｎｕａｌ（ユニトロード電源セミナ・マニュアル）”に記載されている。
【００２４】
本発明に従った点灯装置を実現する際マイクロコントローラを使用すると有利であることがわかった。調整装置および制御装置はともにマイクロコントローラによって構成することができる。この場合、例えばランプ電流の休止時間と時定数τとの関係のような経験的に求められた値をテーブルの形式でマイクロコントローラ内に格納しておくと特に有利である。テーブル値は、ランプの点灯の間に読み出され、それによりランプ電流のオーバシュート、従って光束のオーバシュートが連続的に最適化される。
【００２５】
経験的に得られた関係をテーブル内に格納する代わりに例えば多項式近似のような数学的な近似を行うことも可能である。それによって、マイクロコントローラは例えば休止時間および時定数τを、測定されたランプ電流に関係して計算することができる。これによって、テーブル内に記録されていない中間の値を、まったく問題なく設定することが可能になる。さらに点灯装置の特性を、数学的な近似から得られたわずかな数のパラメータのプログラミングによって設定することも可能である。
【００２６】
本発明に従った方法をマイクロコントローラによって制御することも可能である。そのために、マイクロコントローラは先ず減少の格納された最大値だけ所定の目標値を減少させる。プログラムされた時間の経過後、マイクロコントローラが極性反転のための信号を発生する。マイクロコントローラは、休止時間の経過後、予め定められた半減時間サイクルを使用して、多数回減少値の半減を行う。これは、上記の指数関数で表された法則のシミュレーションを可能にする。この場合の半減時間サイクルは時定数τを表す。遅くとも減少が連続的に行われる半減によって、マイクロコントローラの分解能より小さい値に到達した時点において、減少過程が終了され、再度次の極性反転の際に繰り返される。
【００２７】
本発明に従ったオーバシュートの減少は、点灯装置の構成部品の音響的振動の発生に対しても有利に作用する。本発明に従った点灯装置は、従来技術に従った点灯装置に比較して極めて低い妨害ノイズしか放出しない。
【００２８】
以下において本発明を図面を参照して詳細に説明する。
【００２９】
【発明の実施の形態】
以下の本文においては、抵抗を文字Ｒ、トランジスタを文字Ｔ、ダイオードを文字Ｄ、接続端子を文字Ｊ、インダクタンスを文字Ｌ、容量を文字Ｃによりそれぞれ表し、それぞれにおいて数字が後付けされている。
【００３０】
図１は、従来技術に従ったランプ電流ＩＬ、相対光束ΔΦ、および目標値Ｉｓの時間的経過を示している。極性反転回路は時間ｔ＝０で極性を反転する。ランプ電流ＩＬは、負の規定値から立上がりを開始し、大きさがＯＳＩａとなるオーバシュートを形成し、その後正の規定値に向かう。曲線ΔΦは、目標光束に関係する光束の経過を示している。時間ｔ＝０で極性が反転すると、光束は初めに減少するが、その後目標光束以上に増大し、特に投影装置において擾乱的に作用するオーバシュートＯＳΦａを形成する。目標値Ｉｓは極性反転過程中一定である。Ｉｓに関する基準線は、図示されている時間軸ｔではなく、図１に示されている範囲のはるか下側に位置する線である。主としてＩｓの変化が本発明にとって重要であるので、それらが明確に理解できるようにスケールが選択されている。しかしながら、この場合の基準線は図示されていない範囲の中に消えてしまうことになる。負方向に向かう極性反転は負方向の相応するオーバシュートを持って経過している。
【００３１】
図２は、図１に示したものと同じパラメータに関する時間的経過を示している。本発明によれば、目標値Ｉｓは極性反転の前に減少される。最大減少値、従って最小目標値が非常に迅速に達成される。その後、減少値は前述した指数法則に従って下がる。同様に目標値Ｉｓは最小値の後に再び、この目標値が減少前に有していた出発値まで上昇する。本発明に従った所望の効果を達成するために、最小値における目標値Ｉｓの減少は、少なくとも１０％だけ選定されていなければならない。本発明に従った減少の作用はランプ電流ＩＬおよび相対光束ΔΦにおいて明確に確認することができる。オーバシュートＯＳＩｂ，ＯＳΦｂは、図１に示した従来技術に関するオーバシュートＯＳＩａ，ＯＳΦａと比較して、著しく小さくなっている。これは、極性反転後に正の規定値に到達する速度を下げることなく達成される。また光束も、従来技術と比較して遅れを伴わずに所望の値に到達している。負方向に向かう極性反転は、負方向の相応するオーバシュートを持って経過している。目標値Ｉｓの経過は、回路技術的に極性反転回路がパルス化電源に後置接続されているので、この極性反転方向に関係していない。すなわち、正のランプ電流値から負のランプ電流値へ極性反転する際の目標値の減少は、負の値から正の値へ極性反転する際と同じ経過を有している。
【００３２】
図３は、図２と同様に、ランプ電流ＩＬ、相対光束ΔΦおよび目標値Ｉｓの時間的経過を示している。曲線は、図２と同じリアクタンス回路に適用される。ランプ電圧がより低いことから、ランプ電流の目標値Ｉｓが高められている。所定のリアクタンス回路に関して、本発明に従った同じ作用を達成するために、最大減少における目標値Ｉｓの最小値を同一にすると好ましいことが明らかになっている。図３に示されている本発明に従ったＩＬおよびΔΦのオーバシュートは図２と同程度に小さい。
【００３３】
図４は、本発明に従った点灯装置の一実施例のブロック図を示している。この点灯装置には、端子Ｊ１，Ｊ２を介して直流電圧が供給され、Ｊ２はアース電位Ｍに置かれる。供給された直流電圧に対する高周波負荷を回避するために、Ｊ１，Ｊ２間にコンデンサＣ１が接続されている。
【００３４】
Ｊ１，Ｊ２間には、インダクタンスＬ１とトランジスタＴ１とダイオードＤ１とによって構成された直列回路が接続されている。Ｌ１は比較的小さいインダクタンスを有する雑音防止インダクタンスである。Ｄ１と並列に、フィルタインダクタＬ２およびフィルタコンデンサＣ２によって構成された直列回路を備えるフィルタ回路が接続されており、Ｄ１のアノードはアース電位Ｍに接続されている。Ｌ２，Ｔ１，Ｄ１は、Ｔ１を駆動するためのドライバ回路１とともに、一般に知られている降圧コンバータを構成している。この降圧コンバータの出力電圧はＣ２に印加される。Ｃ２は測定抵抗Ｒ１を介してアース電位Ｍに接続されている。
【００３５】
パルス化電源から供給された電流はＲ１を通って流れる。それゆえ、Ｒ１に降下する電圧降下はパルス化電源から供給された電流の大きさを表し、従って間接的にランプ電流の大きさを表し、制御量を形成する。
【００３６】
降圧コンバータの出力電圧は極性反転回路２に与えられる。可能性のある接続、すなわち例えば半導体スイッチによって切換えられる接続が破線でこの図に示されている。点３，４は、極性反転回路２の出力端であり、それぞれにインダクタンスＬ３，Ｌ４および始動トランスの各２次巻線Ｌ５，Ｌ６を介してランプ接続端子Ｊ３，Ｊ４に接続され、このランプ接続端子Ｊ３，Ｊ４にランプＬｐが接続されている。Ｌ３，Ｌ４の、切換え回路とは反対側はコンデンサＣ３を介して接続されている。Ｌ３，Ｌ４，Ｃ３は共振回路を構成し、この共振回路は極性反転回路の出力端での電圧に関する電圧上昇がＣ３に生じることによって、ランプの始動を促進する。Ｌ３，Ｌ４は互いに結合することもできる。
【００３７】
始動トランスは２次巻線Ｌ５、Ｌ６に加えて、始動コントローラ３が接続されている１次巻線Ｌ７を有している。始動コントローラ３は、始動トランスを介して、ランプの点灯前にランプＬｐに対して、ランプの始動に適した電圧を発生する。インダクタンスＬ３，Ｌ４，Ｌ５，Ｌ６は、始動後のランプの点灯に必要とされないが、Ｌ２，Ｃ２，Ｃ３とともに、極性反転時におけるオーバシュートに大きな影響を持つリアクタンス回路を構成する。
【００３８】
この点灯装置は以下において目標値発信器と呼ぶ装置５を有し、この装置５は電流目標値の形で目標量を送出する。電流目標値は加算器８に与えられる。Ｒ１における電圧降下は制御量を表し、反転された形で加算器８に供給される。加算器８の加算結果は制御増幅器６に供給される。一般に制御増幅器６は前述したディクソン著の文献に述べられているようにＰＩ特性を有している。制御増幅器の出力は操作量を表し、パルス幅変調器７を介してパルス化電源の操作入力端に操作入力として供給される。この操作入力はドライバ回路１の入力であり、トランジスタＴ１を駆動する。
【００３９】
制御増幅器６は加算器とともに調整装置を構成する。
【００４０】
本発明によれば、点灯装置は制御装置４を有し、この制御装置４は減少値を発生して接続線１１を介して目標値発信器５に供給する。制御装置４は接続線１０を介して極性反転を制御するので、目標値発信器５内において目標値が接続線１１を介して極性反転に同期して減少される。目標値発信器５内における目標値の減少は、例えば減少値から、固定のあらかじめ決定された事前設定目標値を減じる減算回路によって行うことができる。
【００４１】
減少値は、同様に制御装置４から反転された形で加算器８に供給することもできる。
【００４２】
制御装置４は接続線９を介してランプの点灯電圧に関する情報を受け取る。この点灯電圧に応じて、制御装置４は本発明に従って、制御装置４内に格納されている特性すなわちテーブル形式で格納することができる特性によって減少の振幅を選択する。従来技術からすでに公知のように、ランプ電圧に関する情報に基づいて、目標量の一定値は極性反転の間に接続線１１を介して修正される。しかしながらその場合、本発明に従った目標値の減少は極性反転中には行われない。
【００４３】
目標量を提供するための装置５、制御増幅器６、加算器８、パルス幅変調器７、および制御装置４は、マイクロコントローラを用いて構成することができる。
【００４４】
図５に例として、マイクロコントローラによって発生される目標値Ｉｓの本発明に従った時間的経過を示す。極性反転の前に、マイクロコントローラは、目標値Ｉｓを１回のステップで約２．３Ａの定格目標値Ｉｐから約１．３Ａの最小目標値ＩRNまで最大減少値だけ減少させる。この最大減少値は約２５μｓの休止時間ｔRZの間保持される。休止時間ｔRZの後、極性反転時間ｔcomに到達すると、マイクロコントローラがランプ電圧の極性反転を惹き起す。続いてマイクロコントローラは減少値を半減させる。マイクロコントローラは、半減時間サイクルｔRIによって予め定められた時間間隔で減少値の半減を複数回行う。３回目の半減時間サイクルｔRIの後に、マイクロコントローラは、再び定格目標値Ｉｐを設定する。この過程は次の極性反転に対して休止時間ｔRZだけ前に再び開始される。
【００４５】
図６は、ランプ電流ＩLに関する最適休止時間ｔRZと最適半減時間サイクルｔRIとの経験的に求められた関係をグラフ形式で示している。休止時間ｔRZとランプ電流ＩLとの関係は破線で示されている。半減時間サイクルｔRZとランプ電流ＩLとの間の関係は実線で示されている。点灯装置のリアクタンス回路内の変化は、異なる関係をもたらす。図６は、休止時間ｔRZおよび半減時間サイクルｔRIをそれぞれ、ランプ電流ＩLの関数およびランプ電圧ＵLの関数として示している。それによって、緊急的にランプの電力が調整されるという関係が考慮される。従ってランプ電流ＩLは、ランプ電力を介してランプ電圧ＵLに変換することができる。図６に示されている関係は、テーブル形式を用いて、あるいは数学的近似の形式を用いてマイクロコントローラ内に格納することができる。このようにこの点灯装置は、ランプ電流ＩLまたはランプ電圧ＵLのような点灯パラメータに関して自動的に最適化を行う。
【図面の簡単な説明】
【図１】ランプ電流ＩＬ、相対光束ΔΦおよび目標値Ｉｓの従来技術に従った時間的経過を示した図
【図２】減少の行われない低い目標値に対するランプ電流ＩＬ、相対光束ΔΦおよび目標値Ｉｓの本発明に従った時間的経過を示した図
【図３】減少の行われない高い目標値に対するランプ電流ＩＬ、相対光束ΔΦおよび目標値Ｉｓの本発明に従った時間的経過を示した図
【図４】本発明に従った点灯装置の一実施例のブロック図
【図５】マイクロコントローラによりつくられた目標値Ｉｓの本発明に従った時間的経過を示した図
【図６】ランプ電流と、最適休止時間および最適半減時間サイクルとの経験的に求められた関係を示した図
【符号の説明】
１  ドライバ回路
２  極性反転回路
３  点
３  始動コントローラ
４  制御装置
４  点
５  目標値発信器
６  制御増幅器
７  パルス幅変調器
８  加算器
９  接続線
１０  接続線
１１  接続線
Ｃ１  コンデンサ
Ｃ２  フィルタコンデンサ
Ｃ３  コンデンサ
Ｄ１  ダイオード
ＩL  ランプ電流
ＩRN  最小目標値
Ｉp  規定目標値
ＩＬ  ランプ電流
Ｉｓ  目標値
Ｊ１  端子
Ｊ２  端子
Ｊ３  ランプ接続端子
Ｊ４  ランプ接続端子
Ｌ１  抑圧インダクタ
Ｌ２  フィルタインダクタ
Ｌ３  インダクタンス
Ｌ４  インダクタンス
Ｌ５  ２次巻線
Ｌ６  ２次巻線
Ｌ７  １次巻線
Ｌｐ  ランプ
Ｍ  アース電位
ＯＳＩａ  オーバシュート
ＯＳＩｂ  オーバシュート
ＯＳΦａ  オーバシュート
ＯＳΦｂ  オーバシュート
Ｒ１  測定抵抗
Ｔ１  トランジスタ
ＵL  ランプ電圧
ｔ  時間
ｔRI  半減時間サイクル
ｔRZ  休止時間
ΔΦ  相対光束
【図１】
0004350369.tif 000002
【図２】
0004350369.tif 000003
【図３】
0004350369.tif 000004
【図４】
0004350369.tif 000005
【図５】
0004350369.tif 000006
【図６】
0004350369.tif 000007